(57)【要約】【課題】レジストローラー位置で用紙が停止しない画像形成装置の印刷要求に対するキャンセルを行う。【解決手段】１次給紙（給紙カセットからレジスト位置ローラー４４までの給紙）と２次給紙（レジスト位置ローラー４４からの給紙）が連続して行われる画像形成装置１において、原稿の１枚目のコピー（ファーストコピー）を行うときに、ウォームアップ情報に基づいて給紙ローラー４２、転写部６５、定着部６６、及び排出ローラー４５などのプリントエンジンをセットアップし、セットアップが完了すると給紙を行う。印刷に必要な動作を行うプリントエンジンのセットアップを給紙の前に完了させるときのセットアップ状態において、ユーザーが印刷要求のキャンセルを行うと、プリントエンジンのセットアップ状態を解除する。【選択図】図２
2015161754.tif 000002
【特許請求の範囲】
【請求項１】
レジストローラー位置で用紙が停止しない画像形成装置であって、
プリントエンジンの動作を制御するプリントエンジン制御手段と、
ウォームアップ情報を作成するウォームアップ情報作成手段と、
前記印刷要求に対するキャンセルを入力するキャンセル入力手段と、
前記キャンセルが入力されているかを判定するキャンセル入力判定手段と
を備え、
前記キャンセル入力判定手段により前記キャンセルが入力されていると判定されたときに、前記プリントエンジン制御手段は給紙の前に前記ウォームアップ情報作成手段により作成された前記ウォームアップ情報に基づいてセットアップされる前記プリントエンジンのセットアップ状態を解除することを特徴とする画像形成装置。
【請求項２】
前記ウォームアップ情報は、給紙元情報、排出先情報、白紙情報、及びカラー情報の少なくとも１つであることを特徴とする請求項１に記載の画像形成装置。
【請求項３】
前記ウォームアップ情報は、感光体ドラム、帯電部、露光部、画像形成部、転写部、定着部、クリーニング部、及びローラーの駆動手段の少なくとも１つに対するセットアップを行うための情報であることを特徴とする請求項１または請求項２に記載の画像形成装置。
【請求項４】
印刷動作を実行する印刷実行処理手段を備え、
前記キャンセル入力判定手段により前記キャンセルが入力されていないと判定されたときに、前記印刷実行処理手段により印刷動作を実行することを特徴とする請求項１から請求項３のいずれか１項に記載の画像形成装置。
【発明の詳細な説明】
【技術分野】
【０００１】
本発明は、画像形成装置における原稿の画像を用紙に印刷するエンジン（以下、「プリントエンジン」という）の制御に関する。
【背景技術】
【０００２】
プリンター、多機能プリンター、多機能周辺装置、又は複合機などのＭＦＰ（Ｍｕｌｔｉｆｕｎｃｔｉｏｎ  Ｐｅｒｉｐｈｅｒａｌ）である画像形成装置は、給紙カセットから用紙を取り出してレジストローラーによって用紙を停止させることにより、給紙カセットからレジストローラー位置までの給紙動作（以下、「１次給紙」という）と、レジストローラー位置から画像を印刷するための給紙動作（以下、「２次給紙」という）に分けている。このようにレジストローラーによって用紙を停止させることで、１次給紙の後に画像を用紙に印刷するプリントエンジンのセットアップを実行し、プリントエンジンのセットアップが完了した後に２次給紙を実行することができる。また、このようなレジストローラー位置で用紙を停止する画像形成装置は、プリントエンジンに対する必要なセットアップを行うためのセットアップ情報を１次給紙の後に作成し、このセットアップ情報に基づいてプリントエンジンのセットアップを実行する。
画像形成装置は、プリントエンジンのセットアップが完了すると２次給紙を行い、原稿の画像を用紙に印刷する。このように１次給紙の後に必要なプリントエンジンに対するセットアップを行うことで、原稿の印刷を行うときに予め決められた条件における原稿の１枚目のコピー(以下、「ファーストコピー」という)の時間を短縮することができる。
特許文献１の画像形成装置および画像形成プログラムでは、印刷ジョブを受信すると印刷エンジンの１次給紙の開始制御を行う。次いで、印刷ジョブの印刷画像を形成して印刷画像を転写、定着する印刷エンジン（プリントエンジン）に出力するとともに２次給紙の開始制御を行っている。このように印刷画像を印刷エンジンに出力することで実行される印刷エンジンのセットアップを２次給紙とともに行うことで、プリンター機能の印刷時間を短縮している。
【先行技術文献】
【特許文献】
【０００３】
【特許文献１】特開２００８−９２１６号公報
【発明の概要】
【発明が解決しようとする課題】
【０００４】
画像形成装置のコストダウンを目的として、レジストローラー用モーターを省略し、従来のレジストローラー位置にローラーは存在しても、レジストローラー位置で用紙が停止しない画像形成装置では、１次給紙と２次給紙が連続して動作するので、１次給紙と２次給紙の間でプリントエンジンのセットアップを実行することができない。また、１次給紙より先にプリントエンジンのセットアップを実行すると、プリントエンジンを全てセットアップしなければならないのでセットアップが完了するまで時間がかかる。このため、画像形成装置のファーストコピーの印刷に時間がかかるという問題があった。このような画像形成装置においては、給紙の前にプリントエンジンに対する必要なウォームアップを行うための情報（以下、「ウォームアップ情報」という）を作成する。そして、ウォームアップ情報に基づいて印刷に必要なプリントエンジンのセットアップを行い、プリントエンジンのセットアップが完了すると給紙を行うことで印刷速度を上げるようにしている。
しかし、印刷に必要なプリントエンジンのセットアップが完了してから給紙を行うことでファーストコピーの印刷時間を短縮することができるが、プリントエンジンのセットアップ中またはセットアップが完了している状態（以下、「セットアップ状態」という）で、給紙されないときに、ユーザーにより印刷要求がキャンセルされたときには、プリントエンジンは、次の印刷要求が来るまでセットアップ状態のままであり、例えば、電力を消費し続けるという新たな問題が発生する。
これは、プリントエンジンの制御において、用紙が搬送中である場合はキャンセルの通知がプリントエンジンに対して行われるが、用紙が搬送中でない場合はキャンセルの通知がプリントエンジンに対して行われないためである。
なお、従来のレジストローラー位置で用紙を停止する画像形成装置においては、１次給紙の後に、ウォームアップ情報に基づいてプリントエンジンのセットアップが完了する。従って、セットアップ状態で印刷要求がキャンセルされても、１次給紙は完了している（用紙が搬送中である）ため、キャンセルの通知はプリントエンジンに対して行われ、ウォームアップ情報に基づくセットアップ状態が解除される。
上記の問題を解決するために、タイマーによりセットアップ状態を解除することができるが、次の印刷要求がいつ来るかがわからないため、十分なタイマー時間を確保しなければならない。このためセットアップ状態のときに印刷要求がキャンセルされると無駄に電力を消費してしまうという問題があった。
【０００５】
本発明はこのような状況に鑑みてなされたものであり、上記課題を解決できる画像形成装置を提供することを目的とする。
【課題を解決するための手段】
【０００６】
本発明の画像形成装置は、レジストローラー位置で用紙が停止しない画像形成装置であって、プリントエンジンの動作を制御するプリントエンジン制御手段と、ウォームアップ情報を作成するウォームアップ情報作成手段と、前記印刷要求に対するキャンセルを入力するキャンセル入力手段と、前記キャンセルが入力されているかを判定するキャンセル入力判定手段とを備え、前記キャンセル入力判定手段により前記キャンセルが入力されていると判定されたときに、前記プリントエンジン制御手段は給紙の前に前記ウォームアップ情報作成手段により作成された前記ウォームアップ情報に基づいてセットアップされる前記プリントエンジンのセットアップ状態を解除することを特徴としている。
また、本発明の画像形成装置の前記ウォームアップ情報は、給紙元情報、排出先情報、白紙情報、及びカラー情報の少なくとも１つであることを特徴としている。
また、本発明の画像形成装置の前記ウォームアップ情報は、感光体ドラム、帯電部、露光部、画像形成部、転写部、定着部、クリーニング部、及びローラーの駆動手段の少なくとも１つに対するセットアップを行うための情報であることを特徴としている。
また、本発明の画像形成装置は、印刷動作を実行する印刷実行処理手段を備え、前記キャンセル入力判定手段により前記キャンセルが入力されていないと判定されたときに、前記印刷実行処理手段により印刷動作を実行することを特徴としている。
【発明の効果】
【０００７】
本発明は、レジストローラー位置で用紙が停止しない、低コストの画像形成装置において、印刷要求がキャンセルされたときにプリントエンジンのセットアップ状態を解除することで消費電力を抑制し、またプリントエンジンの摩耗を防止することで寿命を延ばすことができる画像形成装置を提供する。
【図面の簡単な説明】
【０００８】
【図１】本発明の実施形態に係る画像形成装置の外観斜視図である。
【図２】本発明の実施形態に係る画像形成装置の内部構成を示す断面概略図である。
【図３】本発明の実施形態に係る画像形成装置の概略制御構成を示すブロック図である。
【図４】本発明の実施形態に係るファーストコピーにおける印刷要求キャンセル手順を示すフローチャートである。
【発明を実施するための形態】
【０００９】
以下、本発明を実施するための形態（以下、「実施形態」という）を、図面を参照して説明する。実施形態の画像形成装置１は、プリンター、多機能プリンター、多機能周辺装置、又は複合機等の画像を形成する画像形成装置であり、図１を参照すると、原稿読取部２と、原稿給送部３と、本体部４と、操作部５とを備えている。原稿読取部２は、本体部４の上部に配設され、原稿給送部３は、原稿読取部２の上部に配設されている。
【００１０】
このような画像形成装置１において、１次給紙の前にユーザーが印刷要求した印刷に必要なプリントエンジンに対するウォームアップ情報を作成し、このウォームアップ情報に基づいてプリントエンジンのセットアップを行うことで、ファーストコピーの実行中に印刷要求がキャンセルされるものである。ここでいうウォームアップ情報は、給紙元情報、排出先情報、白紙情報、及びカラー情報などである。給紙元情報は、給紙元（給紙カセット、給紙トレイ、または両面印刷用中間トレイなど）、用紙サイズ、用紙タイプなどの情報である。排出先情報は、排出先（排出トレイ、メールボックス、または両面印刷用中間トレイなど）の情報である。白紙情報は、白紙印刷かどうかの情報である。カラー情報は、どのトナー色を使用するかの情報である。
【００１１】
画像形成装置１の手前側には、画像形成装置１の設定や動作指示を行う操作部５が配設されている。操作部５は、液晶表示部５１、操作ボタン５２が設けられている。ユーザーは操作部５を操作して指示を入力することで、画像形成装置１の各種の設定を行い、画像形成等の各種機能を実行させる。液晶表示部５１は、画像形成装置１の状態を示したり、画像形成状況や印刷部数を表示したり、タッチパネルとして、両面印刷や白黒反転等の機能や倍率設定、濃度設定など各種設定を行えるようになっている。操作ボタン５２としては、画像形成の開始を指示するスタートボタン、画像形成の中止を指示するストップ／クリアボタン、画像形成装置１の各種設定をデフォルト状態にする際に使用するリセットボタン、テンキー等が設けられている。
【００１２】
原稿読取部２は、図２を参照すると、スキャナー２１と、プラテンガラス２２と、原稿読取スリット２３とを備えている。スキャナー２１は、ＬＥＤ（Light Emitting Diode）を用いた光源２４と、ＣＣＤ（Charge Coupled Device）ラインセンサーやＣＭＯＳ（Complementary Metal Oxide Semiconductor）ラインセンサー等からなる受光部２５とを備えており、原稿給送部３による原稿ＭＳ（manuscript）の搬送方向に移動可能に構成されている。原稿読取スリット２３は、原稿給送部３による原稿ＭＳの搬送方向と直交する方向に形成されたスリットである。
【００１３】
原稿給送部３は、原稿載置部３１と、原稿排出部３２と、原稿搬送機構３３とを備えている。原稿載置部３１にセットされた原稿ＭＳは、原稿搬送機構３３によって、１枚ずつ順次繰り出されて原稿読取スリット２３に対向する位置へ搬送され、その後、原稿排出部３２に排出される。また、原稿給送部３と原稿読取部２とは、画像形成装置１の奥側でヒンジ機構によって接続されており、原稿給送部３は、プラテンガラス２２上面を開閉するプラテンカバーとして機能する。原稿給送部３を上方に開くことで、プラテンガラス２２上面が開放され、プラテンガラス２２に原稿ＭＳをセットできる状態となる。
【００１４】
原稿載置部３１に原稿ＭＳがセットされていない状態や、原稿給送部３（プラテンカバー）が開いた開状態で、操作部５の操作ボタン５２によって原稿ＭＳの読み取りが指示されると、プラテンガラス２２にセットされた原稿ＭＳが読み取られる。プラテンガラス２２に載置された原稿ＭＳを読み取る場合には、スキャナー２１は、プラテンガラス２２に対向する位置に移動され、プラテンガラス２２にセットされた原稿ＭＳを主走査方向と直交する副走査方向に副走査方向基準線Ｂから走査しながら読み取って画像データを取得し、取得した画像データを本体部４内にある制御部７（図３）に出力する。
【００１５】
原稿載置部３１に原稿ＭＳがセットされた状態で、操作部５の操作ボタン５２によって原稿ＭＳの読み取りが指示されると、原稿給送部３により搬送される原稿ＭＳが読み取られる。原稿ＭＳは、表面（原稿画像を読み取る面）を上にして原稿載置部３１にセットされる。そして、原稿載置部３１にセットされた原稿ＭＳは、原稿給送部３によって左側から搬送され、原稿ＭＳの表面が原稿読取スリット２３と対向位置に導かれる。また、スキャナー２１は、原稿給送部３により搬送された原稿ＭＳを読み取る場合、原稿読取スリット２３と対向する位置に移動され、原稿読取スリット２３を介し、原稿給送部３による搬送動作と同期して原稿ＭＳを読み取って画像データを取得し、取得した画像データを本体部４内にある制御部７（図３）に出力する。
【００１６】
本体部４は、記録部６を備えると共に、給紙部４１と、給紙ローラー４２と、用紙搬送路４３と、レジスト位置ローラー４４と、排出ローラー４５とを備えている。
前述のように、レジストローラーは、通常はモーターなどの駆動手段（不図示）により制御されているが、本実施形態においては、駆動手段が省略されている。すなわち、本実施形態のレジストローラー位置のローラーは、給紙のタイミングを規定するレジスト機能を有さないために、レジスト位置ローラー４４と呼称する。なお、レジスト位置ローラー４４は、例えば、給紙ローラー４２に直結していて、給紙ローラー４２を駆動するモーターで給紙ローラー４２と共に制御される。
給紙部４１は、複数枚の用紙Ｐが収納される給紙カセットであり、給紙ローラー４２は、給紙部４１から用紙Ｐを１枚ずつ用紙搬送路４３に繰り出す。給紙ローラー４２によって用紙搬送路４３に繰り出された用紙Ｐは、レジスト位置ローラー４４によって記録部６に搬送される。レジスト位置ローラー４４は、給紙カセットから供給される用紙Ｐの先端と原稿から読み取った画像の先端を合わせるように用紙Ｐを搬送する。そして、記録部６によって記録が施された用紙Ｐは、排出ローラー４５によって、原稿読取部２と本体部４との間に形成された排出空間４６に排出される。このように、給紙ローラー４２、レジスト位置ローラー４４、及び排出ローラー４５は、用紙Ｐの搬送部として機能する。なお、図２に示す給紙部４１には１つの給紙カセットが設置されているように図示しているが、これは例示であり、給紙部４１には用紙サイズが異なる用紙をセットできる複数の給紙段の給紙カセットを設置することが可能である。また、給紙部４１の他に別の給紙元を設けることも可能である。また、排出空間４６においても別の排出先を設置することが可能である。
【００１７】
記録部６は、感光体ドラム６１と、帯電部６２と、露光部６３と、画像形成部６４と、転写部６５と、定着部６６と、クリーニング部６７とを備えている。露光部６３は、レーザー装置やミラー等を備えた光学ユニットであり、帯電部６２によって一様に帯電された感光体ドラム６１に対し、画像データに基づくレーザー光を出力して露光し、感光体ドラム６１の表面に静電潜像を形成する。画像形成部６４は、トナーを用いて感光体ドラム６１に形成された静電潜像を現像する現像ユニットであり、静電潜像に基づいたトナー像を感光体ドラム６１上に形成させる。転写部６５は、画像形成部６４によって感光体ドラム６１上に形成されたトナー像を用紙Ｐに転写させる。定着部６６は、転写部６５によってトナー像が転写された用紙Ｐを加熱してトナー像を用紙Ｐに定着させる。そして感光体ドラム６１上に残存するトナーは、クリーニング部６７によって除去される。
【００１８】
図３には、画像形成装置１の概略制御構成を示すブロック図が示されている。上述の原稿読取部２、原稿給送部３、搬送部（給紙ローラー４２、レジスト位置ローラー４４、排出ローラー４５）、操作部５、記録部６、記憶部８、及び通信部９は、制御部７に接続され、制御部７によって動作制御される。制御部７は、プリントエンジン制御処理部７１と印刷実行処理部７２を備えている。
【００１９】
制御部７は、ＲＯＭ（Read Only Memory）、ＲＡＭ（Random Access Memory）等を備えたマイクロコンピューター等の情報処理部である。ＲＯＭには画像形成装置１の動作制御を行うための制御プログラムが記憶されている。制御部７は、ＲＯＭに記憶されている制御プログラムを読み出し、制御プログラムをＲＡＭに展開させることで、操作部５から入力された所定の指示情報に応じて装置全体の制御を行う。
プリントエンジン制御処理部７１は、制御部７からの指令により画像形成装置１が備えるプリントエンジンの動作制御を行う。
印刷実行処理部７２は、制御部７からの指令により印刷動作を実行する。
【００２０】
記憶部８は、半導体メモリーやＨＤＤ（Hard Disk Drive）等の記憶手段であり、スキャナー２１によって読み取られた原稿ＭＳの画像データが記憶されると共に、各種の管理情報や設定情報が記憶されている。
【００２１】
通信部９は、ＬＡＮ等のネットワーク１０を介して、ＰＣ（パーソナルコンピュータ）等の周辺機器１１や、他の画像形成装置１ａとの間で各種データを送受信する機能を有する。また、通信部９は、ネットワーク１０及びルーター１２を介してインターネット１３に接続可能に構成されている。そして通信部９は、インターネット１３に接続されている各種通信機器との間で各種データを送受信する機能を有する。
【００２２】
次に、１次給紙（給紙カセットからレジスト位置ローラー４４までの給紙）と２次給紙（レジスト位置ローラー４４からの給紙）のレジスト位置ローラー４４の位置で用紙Ｐを停止できない、つまり、１次給紙と２次給紙が連続して行われる画像形成装置１のファーストコピーにおける印刷要求キャンセル手順について、図４に示すフローチャートを用いて説明する。
【００２３】
ファーストコピーの条件において、ユーザーが原稿ＭＳを原稿給送部３の原稿載置部３１にセットし、操作部５の操作ボタン５２によって読み取る原稿ＭＳの原稿サイズ、印刷する用紙Ｐの用紙サイズ、モノクロ印刷かカラー印刷かのカラーモードなどの設定情報（以下、「印刷設定情報」という）を入力して印刷要求を行った後に、操作部５から印刷要求のキャンセルを設定する。操作部５は、印刷要求のキャンセルが設定されると制御部７にキャンセル通知を出力し、制御部７はキャンセル通知を入力する。
【００２４】
（ステップＳ１０１）
まず、制御部７は、ユーザーが設定した印刷設定情報を操作部５から入力する。
【００２５】
（ステップＳ１０２）
次いで、制御部７は、スキャナー２１が読み取った原稿ＭＳの画像データを記憶部８から取り出す。
【００２６】
（ステップＳ１０３）
次いで、制御部７は、ステップＳ１０１で入力した印刷設定情報、原稿読取部２により読取られた原稿サイズ、ステップＳ１０２で入力した画像データ、または記憶部８が記憶している各種の管理情報や設定情報に基づいてプリントエンジンのウォームアップ情報を作成する。
例えば、前記印刷設定情報、記憶部８の管理情報が保持している給紙サイズ、または読取られた原稿サイズ、または原稿サイズに基づき自動的に選択された給紙カセットに基づく用紙サイズ、用紙タイプなどの情報からウォームアップ情報である給紙元情報を作成する。また、前記印刷設定情報、または記憶部８の管理情報が保持している排出先などの情報からウォームアップ情報である排出先情報を作成する。また、印刷設定情報のカラーモードと画像データからウォームアップ情報の白紙情報及びカラー情報を作成する。
なお、従来のレジストローラー位置で用紙が停止する画像形成装置においては、１次給紙の後に、プリントエンジンのウォームアップ情報と共に、例えば、後処理情報（後処理の有無、後処理の種類、用紙を束排出するか否かなど）、カウントアップ情報（カウントアップするか否か）、課金情報（用紙別の単価情報など）などの情報もプリントエンジンに通知される。
これに対して、本実施形態のレジストローラー位置で用紙が停止しない画像形成装置においては、記録部６や各種ローラーの駆動に直接関わらない上記の情報については、ウォームアップ情報の通知の後で通知させてもよい。これにより、ウォームアップ情報の通知時間を短縮させることにより、エンジンのセットアップを早く完了させ、更にファーストコピー時間を短縮させることができる。
【００２７】
（ステップＳ１０４）
次いで、制御部７は、プリントエンジン制御処理部７１を起動する。
【００２８】
（ステップＳ１０５）
次いで、プリントエンジン制御処理部７１は、ウォームアップ情報に基づいてプリントエンジンのセットアップを開始する。例えば、ウォームアップ情報の給紙元情報に対応する給紙部４１、給紙ローラー４２のエンジンを駆動する動作制御を行う。また、ウォームアップ情報の排出先情報に対応する排出ローラー４５のエンジンを駆動する動作制御を行う。また、給紙部４１にセットされている用紙Ｐの用紙サイズにより定着部６６の温度を設定する動作制御を行う。また、ウォームアップ情報の白紙情報、カラー情報により、画像形成部６４の現像バイアスなどを設定する制御を行う。
【００２９】
（ステップＳ１０６）
次いで、制御部７は、操作部５から印刷要求のキャンセル通知を入力したかを判定する。キャンセル通知を入力しているとき（ステップＳ１０６のＹｅｓ）は、ステップＳ１０７に進む。キャンセル通知を入力していないとき（ステップＳ１０６のＮｏ）は、ステップＳ１０９に進む。
【００３０】
（ステップＳ１０７）
次いで、制御部７は、プリントエンジン制御処理部７１にプリントエンジンのセットアップアップ状態を解除する指令を行う。
【００３１】
（ステップＳ１０８）
次いで、プリントエンジン制御処理部７１は、セットアップアップ状態のプリントエンジンのセットアップアップ状態を解除する。
【００３２】
（ステップＳ１０９）
次いで、制御部７がプリントエンジン制御処理部７１からプリントエンジンのセットアップの完了を検出する。
【００３３】
（ステップＳ１１０）
次いで、制御部７は、印刷実行処理部７２を起動する。
【００３４】
（ステップＳ１１１）
次いで、印刷実行処理部７２は、ステップＳ１０１で入力した印刷設定情報に基づいて、給紙部４１から用紙Ｐを取り出し、転写部６５がトナー像を用紙Ｐに転写させ、定着部６６が用紙Ｐを加熱してトナー像を用紙Ｐに定着させる印刷動作を行う。
【００３５】
（ステップＳ１１２）
次いで、制御部７は、トナーを定着させた用紙Ｐは排出ローラー４５により排出空間４６に排出する。
【００３６】
以上のように、レジストローラー位置で用紙が停止しない画像形成装置１において、ウォームアップ情報に基づいてプリントエンジンをセットアップし、プリントエンジンのセットアップが完了すると給紙を行う。このように、印刷に必要な動作を行うプリントエンジンのセットアップを給紙の前に完了させるときのセットアップ状態において、印刷要求がキャンセルされた場合でも、プリントエンジンのセットアップ状態をすぐに解除することができる。
【００３７】
以上、具体的な実施の形態により本発明を説明したが、上記実施の形態は本発明の例示であり、この実施の形態に限定されないことは言うまでもない。
【産業上の利用可能性】
【００３８】
画像形成装置は、あらゆる印刷可能な装置一般に適用できる。
【符号の説明】
【００３９】
１・・・・・画像形成装置
１ａ・・・・画像形成装置
２・・・・・原稿読取部
３・・・・・原稿給送部
４・・・・・本体部
５・・・・・操作部
６・・・・・記録部
７・・・・・制御部
８・・・・・記憶部
９・・・・・通信部
１０・・・・・ネットワーク
１１・・・・・周辺機器
１２・・・・・ルーター
１３・・・・・インターネット
２１・・・・・スキャナー
２２・・・・・プラテンガラス
２３・・・・・原稿読取スリット
２４・・・・・光源
２５・・・・・受光部
３１・・・・・原稿載置部
３２・・・・・原稿排出部
３３・・・・・原稿搬送機構
４１・・・・・給紙部
４２・・・・・給紙ローラー
４３・・・・・用紙搬送路
４４・・・・・レジスト位置ローラー
４５・・・・・排出ローラー
４６・・・・・排出空間
５１・・・・・液晶表示部
５２・・・・・操作ボタン
６１・・・・・感光体ドラム
６２・・・・・帯電部
６３・・・・・露光部
６４・・・・・画像形成部
６５・・・・・転写部
６６・・・・・定着部
６７・・・・・クリーニング部
７１・・・・・プリントエンジン制御処理部
７２・・・・・印刷実行処理部
【図１】
2015161754.tif 000003
【図２】
2015161754.tif 000004
【図３】
2015161754.tif 000005
【図４】
2015161754.tif 000006